(57)【要約】  【課題】  ニュース情報の極性を考慮して適切に広告情報の提供をすることのできる情報提供システムを提供する。  【解決手段】  情報提供システム１は、広告情報とニュース情報を文章形式から会話形式に変換してユーザに提供する。ニュース情報には、ユーザにポジティブな印象を与えるプラス感性極性のニュース情報と、ユーザにネガティブな印象を与えるマイナス感性極性のニュース情報が含まれる。情報提供システム１では、ユーザに提供された広告情報と関連するニュース情報を、ユーザに提供すべきニュース情報として選択する。そして、プラス感性極性のニュース情報が選択された場合には、ニュース情報とともに広告情報を提供し、マイナス感性極性のニュース情報が選択された場合には、ニュース情報とともに広告情報を提供しない、および／または、ニュース情報と異なるニュース情報を提供する。【選択図】  図１
2013210448.tif 000002
【特許請求の範囲】
【請求項１】
文章形式の広告情報を記憶する広告情報記憶部と、
文章形式のニュース情報を記憶するニュース情報記憶部と、
前記広告情報と前記ニュース情報を、文章形式から会話形式に変換する形式変換部と、
会話形式の前記広告情報と前記ニュース情報を、ユーザに提供する情報提供部と、
を備える情報提供システムであって、
前記ニュース情報には、提供された前記ユーザにポジティブな印象を与えるプラス感性極性のニュース情報と、提供された前記ユーザにネガティブな印象を与えるマイナス感性極性のニュース情報が含まれており、
前記情報提供システムは、
前記ユーザに提供された広告情報と関連するニュース情報を、前記ユーザに提供すべきニュース情報として選択するニュース選択部を備え、
前記情報提供部は、
前記プラス感性極性のニュース情報が選択された場合には、前記ニュース情報とともに前記広告情報を提供し、
前記マイナス感性極性のニュース情報が選択された場合には、前記ニュース情報とともに前記広告情報を提供しない、および／または、前記ニュース情報と異なるニュース情報を提供することを特徴とする情報提供システム。
【請求項２】
前記ユーザの現在の位置情報と時刻情報を取得する情報取得部と、
前記現在の位置情報と時刻情報に応じて、前記ユーザに提供する広告情報を選択する広告選択部と、
を備える、請求項１に記載の情報提供システム。
【請求項３】
前記広告情報と前記ニュース情報に含まれるキーワードを、前記広告情報と前記ニュース情報からそれぞれ抽出するキーワード抽出部を備え、
前記ニュース選択部は、前記ユーザに提供された広告情報と同一のキーワードを有するニュース情報を、前記ユーザに提供すべきニュース情報として選択する、請求項１または請求項２に記載の情報提供システム。
【請求項４】
前記広告情報が提供されたときに、前記広告情報の広告対象を購入するための処理を行う購入処理部を備える、請求項１〜請求項３のいずれかに記載の情報提供システム。
【請求項５】
車両を運転する前記ユーザのワークロードを推定するワークロード推定部を備え、
前記情報提供部は、前記ユーザのワークロードが所定の閾値より低いときに、前記広告情報と前記ニュース情報を提供する、請求項１〜請求項４のいずれかに記載の情報提供システム。
【請求項６】
ユーザごとのユーザ嗜好情報を記憶するユーザ嗜好情報記憶部と、
前記ユーザ嗜好情報に基づいて、前記ユーザに提供するニュース情報と広告情報を選択するフィルタ処理部と、
を備える、請求項１〜請求項５のいずれかに記載の情報提供システム。
【請求項７】
文章形式の広告情報を記憶する広告情報記憶部と、
文章形式のニュース情報を記憶するニュース情報記憶部と、
前記広告情報と前記ニュース情報を、文章形式から会話形式に変換する形式変換部と、
会話形式の前記広告情報と前記ニュース情報を、ユーザに提供する情報提供部と、
を備える情報提供装置であって、
前記ニュース情報には、提供された前記ユーザにポジティブな印象を与えるプラス感性極性のニュース情報と、提供された前記ユーザにネガティブな印象を与えるマイナス感性極性のニュース情報が含まれており、
前記情報提供装置は、
前記ユーザに提供された広告情報と関連するニュース情報を、前記ユーザに提供すべきニュース情報として選択するニュース選択部を備え、
前記情報提供部は、
前記プラス感性極性のニュース情報が選択された場合には、前記ニュース情報とともに前記広告情報を提供し、
前記マイナス感性極性のニュース情報が選択された場合には、前記ニュース情報とともに前記広告情報を提供しない、および／または、前記ニュース情報と異なるニュース情報を提供することを特徴とする情報提供装置。
【請求項８】
情報提供システムまたは情報提供装置において実行され、広告情報とニュース情報を文章形式から会話形式に変換し、会話形式の前記広告情報と前記ニュース情報をユーザに提供する情報提供方法であって、
前記ニュース情報には、提供された前記ユーザにポジティブな印象を与えるプラス感性極性のニュース情報と、提供された前記ユーザにネガティブな印象を与えるマイナス感性極性のニュース情報が含まれており、
前記情報提供方法は、
前記ユーザに提供された広告情報と関連するニュース情報を、前記ユーザに提供すべきニュース情報として選択し、
前記プラス感性極性のニュース情報が選択された場合には、前記ニュース情報とともに前記広告情報を提供し、
前記マイナス感性極性のニュース情報が選択された場合には、前記ニュース情報とともに前記広告情報を提供しない、および／または、前記ニュース情報と異なるニュース情報を提供することを特徴とする情報提供方法。
【発明の詳細な説明】
【技術分野】
【０００１】
本発明は、広告情報とニュース情報を文章形式から会話形式に変換してユーザに提供する情報提供システムに関し、広告効果を向上させる技術に関する。
【背景技術】
【０００２】
従来、ユーザの反応、発話内容、使用語彙、タイミングなどに応じて、自律的に話題を発展・展開させながら会話を行い、自然な会話の中でさりげなく広告を実現する会話システムが提案されている（例えば特許文献１参照）。
【先行技術文献】
【特許文献】
【０００３】
【特許文献１】特開２００３−２５６４２１号公報
【発明の概要】
【発明が解決しようとする課題】
【０００４】
しかしながら、従来の会話システムでは、広告に関する会話しか提供されないため、ユーザが広告を退屈に感じてしまい、広告効果が低減するおそれがあるという問題があった。そこで、広告を提供するときに、ニュース（ユーザの興味をひくトピック）も一緒に混ぜて提供することが考えられる。
【０００５】
その場合、ニュースは、Ｗｅｂサイトからクローリングなどで自動的に収集してもよいが、収集されるニュースには、ユーザに与える印象がポジティブなもの（楽しいイベントや映画のニュースなど）だけでなく、ネガティブなもの（悲しい事件や事故のニュースなど）もある。そのため、単にニュースを広告に混ぜると、ネガティブなニュースも提供されてしまうことになり、ネガティブなニュースと一緒に提供される広告の効果が低減したり、その広告に逆に悪い印象を与える（逆効果になる）おそれがある。
【０００６】
本発明は、上記の課題に鑑みてなされたもので、ニュース情報の極性を考慮して適切に広告情報の提供をすることのできる情報提供システムを提供することを目的とする。
【課題を解決するための手段】
【０００７】
本発明の情報提供システムは、文章形式の広告情報を記憶する広告情報記憶部と、文章形式のニュース情報を記憶するニュース情報記憶部と、前記広告情報と前記ニュース情報を、文章形式から会話形式に変換する形式変換部と、会話形式の前記広告情報と前記ニュース情報を、ユーザに提供する情報提供部と、を備える情報提供システムであって、前記ニュース情報には、提供された前記ユーザにポジティブな印象を与えるプラス感性極性のニュース情報と、提供された前記ユーザにネガティブな印象を与えるマイナス感性極性のニュース情報が含まれており、前記情報提供システムは、前記ユーザに提供された広告情報と関連するニュース情報を、前記ユーザに提供すべきニュース情報として選択するニュース選択部と、を備え、前記情報提供部は、前記プラス感性極性のニュース情報が選択された場合には、前記ニュース情報とともに前記広告情報を提供し、前記マイナス感性極性のニュース情報が選択された場合には、前記ニュース情報とともに前記広告情報を提供しない、および／または、前記ニュース情報と異なるニュース情報を提供する。
【０００８】
これにより、ユーザ（例えばドライバ）に広告情報を提供するときに、その広告情報と関連するニュース情報が提供される。この場合、広告情報とニュース情報は、会話形式でユーザに提供される。したがって、広告情報のみが文章形式で提供される場合に比べて、広告効果を高めることができる。しかも、ニュース情報の極性がポジティブ（楽しいイベントや映画のニュースなど）であれば広告情報が提供され、ニュース情報の極性がネガティブ（悲しい事件や事故のニュースなど）であれば広告情報が提供されない、および／または、違うニュース情報が提供される。このように、ニュース情報の極性を考慮して広告情報の提供をすることにより、広告効果をさらに向上することができる。
【０００９】
また、本発明の情報提供システムは、前記ユーザの現在の位置情報と時刻情報を取得する情報取得部と、前記現在の位置情報と時刻情報に応じて、前記ユーザに提供する広告情報を選択する広告選択部と、を備えてもよい。
【００１０】
これにより、ユーザ（例えばドライバ）の現在の位置情報と時刻情報に応じて、ユーザに提供すべき広告情報が適切に選択される。例えば、現在位置の付近の店舗の広告情報や、現在タイムセール中の店舗の広告情報などが選択されて、ユーザに提供される。
【００１１】
また、本発明の情報提供システムは、前記広告情報と前記ニュース情報に含まれるキーワードを、前記広告情報と前記ニュース情報からそれぞれ抽出するキーワード抽出部を備え、前記ニュース選択部は、前記ユーザに提供された広告情報と同一のキーワードを有するニュース情報を、前記ユーザに提供すべきニュース情報として選択してもよい。
【００１２】
これにより、広告情報とニュース情報のそれぞれからキーワードが抽出され、ユーザに提供された広告情報と同一のキーワードを有するニュース情報が、ユーザに提供すべきニュース情報として選択される。このようにして、広告情報と関連するニュース情報が、ユーザに提供される。
【００１３】
また、本発明の情報提供システムは、前記広告情報が提供されたときに、前記広告情報の広告対象を購入するための処理を行う購入処理部を備えてもよい。
【００１４】
これにより、広告情報が提供されたときに、その広告情報の広告対象を購入することができ、ユーザの利便性が向上する。
【００１５】
また、本発明の情報提供システムは、車両を運転する前記ユーザのワークロードを推定するワークロード推定部を備え、前記情報提供部は、前記ユーザのワークロードが所定の閾値より低いときに、前記広告情報と前記ニュース情報を提供してもよい。
【００１６】
これにより、車両を運転するユーザのワークロードが低いときに、広告情報やニュース情報が提供される。このようにして、ユーザのワークロードに応じた適切なタイミングで、広告情報やニュース情報を提供することができる。
【００１７】
また、本発明の情報提供システムは、ユーザごとのユーザ嗜好情報を記憶するユーザ嗜好情報記憶部と、前記ユーザ嗜好情報に基づいて、前記ユーザに提供するニュース情報と広告情報を選択するフィルタ処理部と、を備えてもよい。
【００１８】
これにより、ユーザ嗜好情報に基づいて、ユーザに提供される広告情報やニュース情報が選択される。このようにして、ユーザの嗜好を考慮した広告情報やニュース情報の提供が可能になる。
【００１９】
本発明の情報提供装置は、文章形式の広告情報を記憶する広告情報記憶部と、文章形式のニュース情報を記憶するニュース情報記憶部と、前記広告情報と前記ニュース情報を、文章形式から会話形式に変換する形式変換部と、会話形式の前記広告情報と前記ニュース情報を、ユーザに提供する情報提供部と、を備える情報提供装置であって、前記ニュース情報には、提供された前記ユーザにポジティブな印象を与えるプラス感性極性のニュース情報と、提供された前記ユーザにネガティブな印象を与えるマイナス感性極性のニュース情報が含まれており、前記情報提供装置は、前記ユーザに提供された広告情報と関連するニュース情報を、前記ユーザに提供すべきニュース情報として選択するニュース選択部を備え、前記情報提供部は、前記プラス感性極性のニュース情報が選択された場合には、前記ニュース情報とともに前記広告情報を提供し、前記マイナス感性極性のニュース情報が選択された場合には、前記ニュース情報とともに前記広告情報を提供しない、および／または、前記ニュース情報と異なるニュース情報を提供する。
【００２０】
この装置によっても、上記のシステムと同様に、ユーザ（例えばドライバ）に広告情報を提供するときに、その広告情報と関連するニュース情報が提供される。この場合、広告情報とニュース情報は、会話形式でユーザに提供される。したがって、広告情報のみが文章形式で提供される場合に比べて、広告効果を高めることができる。しかも、ニュース情報の極性がポジティブ（楽しいイベントや映画のニュースなど）であれば広告情報が提供され、ニュース情報の極性がネガティブ（悲しい事件や事故のニュースなど）であれば広告情報が提供されない、および／または、違うニュース情報が提供される。このように、ニュース情報の極性を考慮して広告情報の提供をすることにより、広告効果をさらに向上することができる。
【００２１】
本発明の情報提供方法は、情報提供システムまたは情報提供装置において実行され、広告情報とニュース情報を文章形式から会話形式に変換し、会話形式の前記広告情報と前記ニュース情報をユーザに提供する情報提供方法であって、前記ニュース情報には、提供された前記ユーザにポジティブな印象を与えるプラス感性極性のニュース情報と、提供された前記ユーザにネガティブな印象を与えるマイナス感性極性のニュース情報が含まれており、前記情報提供方法は、前記ユーザに提供された広告情報と関連するニュース情報を、前記ユーザに提供すべきニュース情報として選択し、前記プラス感性極性のニュース情報が選択された場合には、前記ニュース情報とともに前記広告情報を提供し、前記マイナス感性極性のニュース情報が選択された場合には、前記ニュース情報とともに前記広告情報を提供しない、および／または、前記ニュース情報と異なるニュース情報を提供する。
【００２２】
この方法によっても、上記のシステムと同様に、ユーザ（例えばドライバ）に広告情報を提供するときに、その広告情報と関連するニュース情報が提供される。この場合、広告情報とニュース情報は、会話形式でユーザに提供される。したがって、広告情報のみが文章形式で提供される場合に比べて、広告効果を高めることができる。しかも、ニュース情報の極性がポジティブ（楽しいイベントや映画のニュースなど）であれば広告情報が提供され、ニュース情報の極性がネガティブ（悲しい事件や事故のニュースなど）であれば広告情報が提供されない、および／または、違うニュース情報が提供される。このように、ニュース情報の極性を考慮して広告情報の提供をすることにより、広告効果をさらに向上することができる。
【発明の効果】
【００２３】
本発明によれば、ニュース情報の極性を考慮して適切に広告情報の提供をすることができる。
【図面の簡単な説明】
【００２４】
【図１】本発明の実施の形態における情報提供システムの構成を示すブロック図
【図２】本発明の実施の形態における車載装置の構成を示すブロック図
【図３】本発明の実施の形態におけるサーバ装置の構成を示すブロック図
【図４】本発明の実施の形態における連想構造（キーワードの関連付け）の説明図
【図５】本発明の実施の形態におけるニュース情報と広告情報の登録処理の説明図
【図６】本発明の実施の形態における会話文生成処理の説明図
【図７】本発明の実施の形態における情報提供装置の構成を示すブロック図
【発明を実施するための形態】
【００２５】
以下、本発明の実施の形態の情報提供システムについて、図面を用いて説明する。本実施の形態では、車両用のナビゲーション装置等に用いられる情報提供システムの場合を例示する。
【００２６】
本発明の実施の形態の情報提供システムの構成を、図面を参照して説明する。図１は、本実施の形態の情報提供システムの構成を示すブロック図である。図１に示すように、情報提供システム１は、車両に搭載される車載装置２と、情報提供センターなどに設置されるサーバ装置３とで構成される。車載装置２とサーバ装置３とは、ネットワーク４を介して通信可能に接続されている。
【００２７】
図２は、車載装置２の構成を示すブロック図である。図２に示すように、車載装置２には、入力部５とユーザ認証部６と情報提供部７と通信部８が備えられている。入力部５は、例えば、入力ボタンを有するリモコンなどで構成される。ユーザ認証部６は、ユーザ（車両のドライバ）が入力部５から入力した認証データ（ユーザ識別情報など）を用いてユーザ認証を行う機能を備えている。情報提供部７は、テキスト音声化モジュールなどで構成されており、会話形式の情報（広告情報とニュース情報）をユーザに提供する機能を備えている。会話形式の情報（広告情報とニュース情報）の生成については、後述する。通信部８は、サーバ装置３との通信を行う機能を備えている。
【００２８】
また、車載装置２には、情報取得部９とワークロード推定部１０が備えられている。情報取得部９は、車両の現在の位置情報などを、車両に搭載されたＧＰＳ装置１１から取得する機能を備えている。また、この情報取得部９は、車速（ｋｍ／時）、加速度（ｍ／秒2）、舵角（°）（左回し：正、右回し：負）、左右のウィンカー（左右ターンＳＷ）のオン／オフ、ハザードランプのオン／オフ、ブレーキ圧、サイドブレーキのオン／オフなどの車両情報を、車両に搭載された車両センサ１２から取得する機能を備えている。また、この情報取得部９は、現在の時刻情報などを取得する機能を備えている。
【００２９】
ワークロード推定部１０は、情報取得部９によって取得した車両情報などに基づいて、車両を運転するユーザのワークロード（運転ワークロード）を推定する機能を備えている。なお、ワークロードの推定には、公知の技術を利用することができる。例えば、定量化モデル（定式化モデルなど）や確率推論モデル（ベイジアンネットワークやニューラルネットワークなど）を用いて、ユーザの運転ワークロードを推定することができる。情報提供部７は、ワークロード推定部１０で推定したユーザのワークロードが所定の閾値より低いときに、広告情報やニュース情報を提供する。
【００３０】
図３は、サーバ装置３の構成を示すブロック図である。図３に示すように、サーバ装置３には、広告情報記憶部１３とニュース情報記憶部１４が備えられている。広告情報記憶部１３には、広告業者などから提供される広告情報（文字形式の広告情報）が記憶される。サーバ装置３には、クローラ部１５が備えられており、ニュース情報記憶部１４には、クローラ部１５がＷｅｂサイトなどから収集（クローリング）したニュース情報（文字形式のニュース情報）が記憶される。
【００３１】
ニュース情報には、ユーザにポジティブな印象を与えるプラス感性極性のニュース情報（楽しいイベントや映画のニュース情報など）と、ユーザにネガティブな印象を与えるマイナス感性極性のニュース情報（悲しい事件や事故のニュース情報など）が含まれる。また、ニュース情報には、ユーザにあまり印象を与えないニュートラル感性極性のニュース情報（ユーザの興味をひかないニュース情報など）が含まれる。
【００３２】
サーバ装置３には、情報分析部１６が備えられている。情報分析部１６は、感性極性判定部１７とキーワード抽出部１８を備えている。感性極性判定部１７は、ニュース情報の感性極性（プラス／マイナス／ニュートラル）を判定する機能を備えている。感性極性は、各単語（キーワード）に予め割り当てられた極性値の辞書を用いて判定（評価）することができる。一つのニュース情報に複数のキーワードが含まれる場合には、全キーワードの極性値の総和に基づいて、そのニュース情報の感性極性を判定する。なお、この場合、ニュース情報に含まれる否定表現を考慮して、キーワードごとに感性極性値を加減してもよい。
【００３３】
キーワード抽出部１８は、広告情報やニュース情報に含まれるキーワードを、広告情報とニュース情報からそれぞれ抽出する機能を備えている。キーワードの抽出には、形態素分析なジオコーディングなどの公知の技術を利用することができる。広告情報やニュース情報から抽出されるキーワードは、互いに関連付けがされて、連想構造が構築される（図４参照）。なお、連想構造（キーワードの関連付け）については、図面を用いて後で詳しく説明する。
【００３４】
また、サーバ装置３には、会話文生成部１９と通信部２０が備えられている。会話文生成部１９は、広告情報やニュース情報を文章形式から会話形式に変換して、会話文（広告情報とニュース情報を組み込んだ会話文）を生成する機能を備えている。通信部２０は、車載装置２との通信を行う機能を備えており、会話文生成部１９で生成された会話文のデータは、通信部２０から車載装置２へ送信される。なお、会話文の生成には、公知の技術を利用することができる。例えば、会話文生成部１９は、会話文テンプレート格納部２１を備えており、会話文テンプレート格納部２１に格納されているテンプレート（会話文テンプレート）を用いて会話文を生成することができる。また、会話文生成部１９は、長い文章（複文）を短い文章（単文）に変換して、１文あたりの情報量を減らす処理を行うこともできる。
【００３５】
また、会話文生成部１９は、広告選択部２２とニュース選択部２３を備えている。広告選択部２２は、ユーザの現在の位置情報と時刻情報に応じて、ユーザに提供する広告情報を選択する。例えば、現在位置の付近の店舗の広告情報や、現在時刻にタイムセール中の店舗の広告情報などが選択される。ニュース選択部２３は、ユーザに提供された広告情報と関連するニュース情報（同一のキーワードを有するニュース情報）を、ユーザに提供すべきニュース情報として選択する。
【００３６】
情報提供部７は、プラス感性極性のニュース情報が選択された場合には、ニュース情報とともに広告情報を提供する。また、情報提供部７は、ニュートラル感性極性のニュース情報が選択された場合には、ニュース情報とともに広告情報を提供しない。また、情報提供部７は、マイナス感性極性のニュース情報が選択された場合には、ニュース情報とともに広告情報を提供せずに、そのニュース情報と異なるニュース情報を提供する。
【００３７】
また、サーバ装置３には、ユーザ嗜好情報記憶部２４が備えられており、ユーザ嗜好情報記憶部２４には、ユーザごとのユーザ嗜好情報が記憶されている。ユーザ嗜好情報は、ユーザが入力部５から入力した情報（ユーザ入力情報）に基づいて生成することができる。そして、会話文生成部１９には、フィルタ処理部２５が備えられており、フィルタ処理部２５は、ユーザ認証のときに入力されたユーザ識別情報に基づいてユーザ嗜好情報を取得し、そのユーザの嗜好に応じたニュース情報や広告情報を選択する機能を備えている。
【００３８】
さらに、サーバ装置３には、購入処理部２６が備えられている。購入処理部２６は、ユーザに広告情報が提供されたときに、そのユーザがその広告情報の広告対象（商品など）を購入するための処理を行う機能を備えている。例えば、ユーザに広告情報が提供されたときに、その広告情報の商品の購入ボタンをクリックすると、その商品の購入コマンドが車載装置２からサーバ装置３へ送信される。購入処理部２６は、購入コマンドの受付処理や決算処理などを行う機能を備えている。なお、購入するための処理には「ショッピングカートに入れる」などのように購入予約をする（後で購入する）処理も含まれる。
【００３９】
以上のように構成された情報提供システム１について、図面を参照してその動作を説明する。
【００４０】
（連想構造の構築）
図４は、本実施の形態における連想構造（キーワードの関連付け）の説明図である。ここでは、ニュース情報の一例として、タイトルが「○○省がオーガニック表示のガイドライン発表」であり、本文が「最近、農水省は、オーガニックフード表示に関するガイドラインを発表した。オーガニックとは、英語で『有機の』という意味であり、さらに『基本的』という意味もある。オーガニックフードとは、有機農法で栽培された農産物や料理を指す。」というニュース情報から、キーワードを抽出して連想構造を構築する処理を説明する。
【００４１】
まず、「本文」を文の単位へ分割する。この際に、複文は単文へ分割される。この場合、「最近、○○省は、オーガニックフード表示に関するガイドラインを発表した。」「オーガニックとは、英語で『有機の』という意味である。」「さらに『基本的』という意味もある。」「オーガニックフードとは、有機農法で栽培された農産物や料理を指す。」という４つの文（単文）が得られる。
【００４２】
このとき、各単文に対して文の結束関係分析が行われてもよい。例えば、単文「オーガニックとは、英語で『有機の』という意味である。」の文の結束関係は「順接」であり、単文「さらに『基本的』という意味もある。」の文の結束関係は「並列」である、などと分析される。文の結束関係を用いて、単文データが会話テンプレートに当てはめられる。
【００４３】
つぎに、「タイトル」と相関の高い所定数（例えば３つ）の文章を選択する。例えば、「最近、○○省は、オーガニックフード表示に関するガイドラインを発表した。」「オーガニックとは、英語で『有機の』という意味である。」「オーガニックフードとは、有機農法で栽培された農産物や料理を指す。」という３つの文（単文）が選択される。
【００４４】
つづいて、各単文に対して形態素分析が行われ、「農水省」「オーガニック表示」「フード」「ガイドライン」「有機農法」「農産物」「料理」「英語」「意味」などの名詞がキーワードとして抽出される。そして、図４に示すように、「タイトル」から抽出されたキーワードと「本文」から抽出されたキーワードとが互いに関連付けされて、連想構造が構築される。
【００４５】
（ニュース情報と広告情報の登録処理）
図５は、本実施の形態におけるニュース情報と広告情報の登録処理の説明図である。図５に示すように、サーバ装置３では、ニュース情報のクローリングと広告情報の取得が行われ（Ｓ１０、Ｓ１１）、Ｗｅｂサイトなどから収集したニュース情報（文字形式のニュース情報）と広告業者などから提供された広告情報（文字形式の広告情報）が、それぞれニュース情報記憶部１４と広告情報記憶部１３に一時的に登録される（Ｓ１２）。
【００４６】
つぎに、ニュース情報からキーワードが抽出され（Ｓ１３）、そのニュース情報の感性極性（プラス／マイナス／ニュートラル）が判定される（Ｓ１４）。さらに、ニュース情報から連想構造が抽出され（Ｓ１５）、それらの情報がニュース情報記憶部１４に登録される（Ｓ１６）。また、広告情報が検索されて（Ｓ１７）、広告情報から時間情報と位置情報が抽出され（Ｓ１８、Ｓ１９）、それらの情報が広告情報記憶部１３に登録される（Ｓ１６）。
【００４７】
（会話文の生成処理）
図６は、本実施の形態における会話文生成処理の説明図である。図６に示すように、車載装置２では、現在のユーザの運転ワークロードに基づいて、ユーザに情報提供すべきか否かが判定され（Ｓ２０）、情報提供すべきであると判定された場合には、車載装置２からサーバ装置３に情報提供要求が送信される。サーバ装置３では、情報提供要求を受け付けると、ユーザに提供すべきニュース情報が選択される（Ｓ２１）。例えば、最新のニュース情報が、ユーザに提供すべきニュース情報として選択される。
【００４８】
つぎに、そのユーザの現在の位置情報と時刻情報が取得され（Ｓ２２）、ユーザの現在の位置や時刻に応じた前置き情報（初期会話文）と広告情報が選択される（Ｓ２３、Ｓ２４）。広告情報を選択するときには、ニュース情報の感性極性を考慮する。
【００４９】
例えば、感性極性がプラスである場合には、前置き情報と関連した広告情報を選択する。例えば、前置き情報とニュース情報とをつなげるキーワードを含む広告情報を選択する。この際に、複数の広告情報が選択された場合には、現在の位置や時刻に近いキーワードを含むものを選択する。一方、感性極性がマイナスである場合には、気分を盛り上げるようなイベントの広告情報を選択する。この際に、現在の位置情報や時刻情報に基づいて、地理的にまたは時間的に近いものを優先的に選択する。また、感性極性がニュートラルである場合には、広告情報を選択しない。
【００５０】
そして、選択されたニュース情報や広告情報が単文に分割され（Ｓ２５）、文の結束関係分析が行われる（Ｓ２６）。その後、会話文テンプレートが選択されると（Ｓ２７）、文の結束関係を用いて単文データが会話テンプレートに当てはめられ、会話文が生成される（Ｓ２８）。このようにして生成された会話文が、ユーザに提供される。
【００５１】
このような本実施の形態の情報提供システム１によれば、ニュース情報の極性を考慮して適切に広告情報の提供をすることができる。
【００５２】
すなわち、本実施の形態では、ユーザ（ドライバ）に広告情報を提供するときに、その広告情報と関連するニュース情報が提供される。この場合、広告情報とニュース情報は、会話形式でユーザに提供される。したがって、広告情報のみが文章形式で提供される場合に比べて、広告効果を高めることができる。しかも、ニュース情報の極性がポジティブ（楽しいイベントや映画のニュースなど）であれば広告情報が提供され、ニュース情報の極性がネガティブ（悲しい事件や事故のニュースなど）であれば広告情報が提供されない、および／または、違うニュース情報が提供される。このように、ニュース情報の極性を考慮して広告情報の提供をすることにより、広告効果をさらに向上することができる。
【００５３】
また、本実施の形態では、ユーザ（ドライバ）の現在の位置情報と時刻情報に応じて、ユーザに提供すべき広告情報が適切に選択される。例えば、現在位置の付近の店舗の広告情報や、現在タイムセール中の店舗の広告情報などが選択されて、ユーザに提供される。
【００５４】
また、本実施の形態では、広告情報とニュース情報のそれぞれからキーワードが抽出され、ユーザに提供された広告情報と同一のキーワードを有するニュース情報が、ユーザに提供すべきニュース情報として選択される。このようにして、広告情報と関連するニュース情報が、ユーザに提供される。
【００５５】
また、本実施の形態では、広告情報が提供されたときに、その広告情報の広告対象を購入することができ、ユーザの利便性が向上する。
【００５６】
また、本実施の形態では、車両を運転するユーザのワークロードが低いときに、広告情報やニュース情報が提供される。このようにして、ユーザのワークロードに応じた適切なタイミングで、広告情報やニュース情報を提供することができる。
【００５７】
また、本実施の形態では、ユーザ嗜好情報に基づいて、ユーザに提供される広告情報やニュース情報が選択される。このようにして、ユーザの嗜好を考慮した広告情報やニュース情報の提供が可能になる。
【００５８】
以上、本発明の実施の形態を例示により説明したが、本発明の範囲はこれらに限定されるものではなく、請求項に記載された範囲内において目的に応じて変更・変形することが可能である。
【００５９】
例えば、以上の説明では、本発明を二つの装置（車載装置２とサーバ装置３）で構成したシステム（情報提供システム１）の例について説明したが、本発明の範囲はこれに限定されるものではなく、図７に示すように、本発明は一つの装置（情報提供装置１００）で構成してもよい。
【産業上の利用可能性】
【００６０】
以上のように、本発明にかかる情報提供システムは、ニュース情報の極性を考慮して適切に広告情報の提供をすることができるという効果を有し、車両用のナビゲーション装置等として適用され、有用である。
【符号の説明】
【００６１】
１  情報提供システム
２  車載装置
３  サーバ装置
４  ネットワーク
５  入力部
６  ユーザ認証部
７  情報提供部
８  通信部
９  情報取得部
１０  ワークロード推定部
１１  ＧＰＳ装置
１２  車両センサ
１３  広告情報記憶部
１４  ニュース情報記憶部
１５  クローラ部
１６  情報分析部
１７  感性極性判定部
１８  キーワード抽出部
１９  会話文生成部
２０  通信部
２１  会話文テンプレート格納部
２２  広告選択部
２３  ニュース選択部
２４  ユーザ嗜好情報記憶部
２５  フィルタ処理部
２６  購入処理部
１００  情報提供装置
【図１】
2013210448.tif 000003
【図２】
2013210448.tif 000004
【図３】
2013210448.tif 000005
【図４】
2013210448.tif 000006
【図５】
2013210448.tif 000007
【図６】
2013210448.tif 000008
【図７】
2013210448.tif 000009